(57)【要約】      （修正有）【課題】転写手段を像担持体に対して接離する接離部材を動作させる複数のカムが回転方向に応じて相対的な位相が異なるように回転方向で係合することができる中間転写ユニットを提供する。【解決手段】複数の一次転写ローラ６ｃ、６ｄの配列方向に沿って設けられ、該一次転写ローラ６ｃ、６ｄを支持する複数の一次転写ホルダ２５ｃ、２５ｄを移動する複数のスライダ２９，３０のうちのスライダ３０を動作させるカム５１ｂと、該カム５１ｂと同軸上に設けられ、スライダ２９を動作させるカム５１ａと、を有し、カム５１ｂとカム５１ａとは、回転軸２６上で所定の回転角度範囲で独立して回転可能に構成され、カム５１ｂの回転方向に応じて、カム５１ｂとカム５１ａとの相対的な位相が異なるようにカム５１ｂとカム５１ａとが回転方向で係合する。【選択図】図５
2018022046.tif 000002
【特許請求の範囲】
【請求項１】
無端状のベルトと、
複数の転写手段と、
前記転写手段を支持する複数の支持部材と、
前記転写手段を付勢する複数の付勢手段と、
前記複数の転写手段の配列方向に沿って設けられ、前記支持部材を移動する複数の接離部材と、
を有する中間転写ユニットにおいて、
前記複数の接離部材のうちの一部を動作させる第一のカムと、
前記第一のカムと同軸上に設けられ、前記複数の接離部材のうちの他部を動作させる第二のカムと、
を有し、
前記第一のカムと前記第二のカムとは、同軸上で所定の回転角度範囲では独立して回転可能に構成され、
前記第一のカムの回転方向に応じて、前記第一のカムと前記第二のカムとの相対的な位相が異なるように前記第一のカムと前記第二のカムとが回転方向で係合することを特徴とする中間転写ユニット。
【請求項２】
前記第一のカムの回転方向を制御することにより前記複数の接離部材の位置を制御することを特徴とする請求項１に記載の中間転写ユニット。
【請求項３】
前記第一のカムの回転方向に対して、前記第一のカムと前記第二のカムとの相対的な位相が１８０度異なるように前記第一のカムと前記第二のカムとが回転方向で係合することを特徴とする請求項１または請求項２に記載の中間転写ユニット。
【請求項４】
前記第一のカムが固定された回転軸と、
前記第二のカムに設けられ、前記回転軸が摺動可能に挿入される貫通穴と、
前記第一のカムの前記回転軸の外周近傍に設けられた第一の係合部と、
前記第二のカムの前記貫通穴の周縁近傍に設けられ、前記貫通穴の周方向に１８０度ずれた位置に設けられた第二、第三の係合部と、
を有し、
前記貫通穴の周方向で前記第二、第三の係合部の間に前記第一の係合部が配置された状態で前記回転軸が前記貫通穴内に摺動可能に挿入され、
前記回転軸の回転により前記第一の係合部が前記第二の係合部または前記第三の係合部に係合して前記第一のカムと前記第二のカムとが一体的に回転することを特徴とする請求項１〜３のいずれか１項に記載の中間転写ユニット。
【請求項５】
像担持体と、
請求項１〜４のいずれか１項に記載の中間転写ユニットと、
を有し、
前記接離部材は、前記ベルトを介在して前記転写手段を前記像担持体に対して接離することを特徴とする画像形成装置。
【発明の詳細な説明】
【技術分野】
【０００１】
本発明は、複写機、プリンタ、ファクシミリ装置等の画像形成装置に設けられる中間転写ユニトに関するものである。
【背景技術】
【０００２】
複写機、プリンタ、ファクシミリ装置等の電子写真方式を採用した画像形成装置に中間転写ベルトを有する中間転写ユニットが設けられるものがある。感光ドラムの表面上に形成されたトナー像を中間転写ベルトに転写するための一次転写ローラは感光ドラムの表面に対して接離可能に設けられる。例えば、カラーの画像形成装置においてブラックＫ色の単色画像を出力する場合がある。そのときは、他色のカラーユニットを無駄に動作させて寿命を縮めないように感光ドラムと現像装置とを停止させるためブラックＫ色以外の各一次転写ローラを感光ドラムの表面から離間する必要がある。
【０００３】
また、中間転写ユニットを交換するときは、感光ドラムの表面との摺擦を避けるために一次転写ローラを離間させることが望ましい。このように一次転写ローラの着脱状態で、他色のカラーＣＬ（イエローＹ、マゼンタＭ、シアンＣ）モードと、ブラックＫ色モードとの二つのモードを有する。更に、全色（イエローＹ、マゼンタＭ、シアンＣ、ブラックＫ）の全離間モードを合わせた三つのモードを有するものがある。
【０００４】
一次転写ローラを感光ドラムの表面に対して接離する構成としては、特許文献１のように、カムの回動によりスライダを移動して該スライダにより一次転写ローラの軸受位置を移動するものがある。三つのモードを有する場合は、異なる駆動源によりカムを回動して三つのモードを実現するものがある。他に、同軸上に１２０°程度の位相をずらして一つの駆動源により同方向に一体的に回転する複数のカムを配置して三つのモードを実現するものがある。
【先行技術文献】
【特許文献】
【０００５】
【特許文献１】特開２００９−１２８３９０号公報
【発明の概要】
【発明が解決しようとする課題】
【０００６】
しかしながら、一次転写ローラを感光ドラムの表面に対して接離する構成として三つのモードを有する場合において、複数の駆動源を有する場合は、駆動源が多くなるためコスト増を招き、省スペース化が困難である。また、同軸上に１２０°程度の位相をずらして一つの駆動源により同方向に一体的に回転する複数のカムを配置して三つのモードを実現する場合は、駆動源は一つで済むもののカムの形状が制約を受け、カムの位相管理の許容角度が狭くなってしまう。
【０００７】
複数のカムの位相管理の許容角度が狭くなると、制御は出来るもののカムの位置決めが精密に出来る高価なステッピングモータ等の駆動源が必要となる。例えば、小型で比較的安価なブラシモータとフォトインタラプタとの組み合わせでは、カムの精密な位相管理が困難である。このためコスト増を招き、省スペース化が困難であった。
【０００８】
本発明は前記課題を解決するものであり、その目的は、転写手段を像担持体に対して接離する接離部材を動作させる複数のカムが回転方向に応じて相対的な位相が異なるように回転方向で係合することができる中間転写ユニットを提供する。
【課題を解決するための手段】
【０００９】
前記目的を達成するための本発明に係る中間転写ユニットの代表的な構成は、無端状のベルトと、複数の転写手段と、前記転写手段を支持する複数の支持部材と、前記転写手段を付勢する複数の付勢手段と、前記複数の転写手段の配列方向に沿って設けられ、前記支持部材を移動する複数の接離部材と、を有する中間転写ユニットにおいて、前記複数の接離部材のうちの一部を動作させる第一のカムと、前記第一のカムと同軸上に設けられ、前記複数の接離部材のうちの他部を動作させる第二のカムと、を有し、前記第一のカムと前記第二のカムとは、同軸上で所定の回転角度範囲では独立して回転可能に構成され、前記第一のカムの回転方向に応じて、前記第一のカムと前記第二のカムとの相対的な位相が異なるように前記第一のカムと前記第二のカムとが回転方向で係合することを特徴とする。
【発明の効果】
【００１０】
本発明によれば、転写手段を像担持体に対して接離する接離部材を動作させる複数のカムが回転方向に応じて相対的な位相が異なるように回転方向で係合することができる。
【図面の簡単な説明】
【００１１】
【図１】本発明に係る中間転写ユニットを備えた画像形成装置の構成を示す断面説明図である。
【図２】中間転写ユニットの構成を示す斜視説明図である。
【図３】中間転写ユニットの構成を示す断面説明図である。
【図４】中間転写ユニットの構成を示す平面説明図である。
【図５】（ａ）は、本実施形態において全色の一次転写ローラが中間転写ベルトを介在して各感光ドラムの表面に当接された状態におけるカムの位相を示す断面説明図である。（ｂ）は、本実施形態においてブラック色の一次転写ローラのみが中間転写ベルトを介在して感光ドラムの表面に当接された状態におけるカムの位相を示す断面説明図である。（ｃ）は、本実施形態において全色の一次転写ローラが各感光ドラムの表面から退避した状態におけるカムの位相を示す断面説明図である。
【図６】（ａ）は、本実施形態のカムの構成を示す斜視説明図である。（ｂ），（ｃ）は、本実施形態のカムの構成を示す断面説明図である。
【図７】（ａ）は、比較例において全色の一次転写ローラが中間転写ベルトを介在して各感光ドラムの表面に当接された状態におけるカムの位相を示す断面説明図である。（ｂ）は、比較例においてブラック色の一次転写ローラのみが中間転写ベルトを介在して感光ドラムの表面に当接された状態におけるカムの位相を示す断面説明図である。（ｃ）は、比較例において全色の一次転写ローラが各感光ドラムの表面から退避した状態におけるカムの位相を示す断面説明図である。
【発明を実施するための形態】
【００１２】
図により本発明に係る中間転写ユニットを備えた画像形成装置の一実施形態を具体的に説明する。
【００１３】
＜画像形成装置＞
先ず、図１を用いて本発明に係る中間転写ユニットを備えた画像形成装置の構成について説明する。図１は、本発明に係る中間転写ユニットを備えた画像形成装置の構成を示す断面説明図である。図１に示す画像形成装置１００は、電子写真方式を用いてフルカラー画像を形成することのできる、中間転写方式を採用したタンデム型のレーザビームプリンターの一例である。画像形成装置１００は、複数の画像形成部として第１〜第４の画像形成部３ａ〜３ｄを有する。各画像形成部３ａ〜３ｄは、それぞれイエローＹ、マゼンタＭ、シアンＣ、ブラックＫの各色の画像を形成する。
【００１４】
本実施形態では、各画像形成部３ａ〜３ｄの構成及び動作は、使用するトナーの色が異なることを除いては実質的に同じである。従って、各画像形成部３ａ〜３ｄを代表して単に画像形成部３を用いて説明する場合もある。他の画像形成プロセス手段についても同様である。
【００１５】
画像形成部３は、像担持体となるドラム型（円筒形）の電子写真感光体（感光体）からなる感光ドラム１を有する。各感光ドラム１は、図１の時計周り方向に回転駆動される。各感光ドラム１の周囲には、該感光ドラム１の表面を一様に帯電する帯電手段となるローラ状の帯電部材からなる帯電ローラ２が配置されている。更に、一様に帯電された各感光ドラム１の表面に画像情報に応じたレーザ光を照射して露光し、静電潜像を形成する像露光手段としてのレーザスキャナ９が配置されている。
【００１６】
更に、該感光ドラム１の表面に形成された静電潜像に対して現像剤となるトナーを供給してトナー像として現像する現像手段としての現像装置４が配置されている。更に、該感光ドラム１の表面に形成されたトナー像を無端状のベルトからなる中間転写ベルト１０ｅに一次転写した後に該感光ドラム１の表面に残留した残トナーを掻き取ってクリーニングするクリーニング手段としてのクリーニング装置５が配置されている。
【００１７】
各感光ドラム１の表面に対して外周面が対向された中間転写体としての無端状のベルトからなる中間転写ベルト１０ｅを有する中間転写ユニット１０が配置されている。中間転写ベルト１０ｅは、複数のローラからなる張架部材としての駆動ローラ１０ｇ、従動ローラ１０ｆ及びテンションローラ１０ｈにより図１の反時計回り方向に回転可能に張架されている。駆動ローラ１０ｇは図示しない駆動源となるモータにより回転駆動される。これにより中間転写ベルト１０ｅは、図１の反時計周り方向に回転（周回移動）する。
【００１８】
テンションローラ１０ｈは、図示しない付勢手段により中間転写ベルト１０ｅの内周面側から外周面側に向けて図１の矢印Ｔ方向に付勢されている。これにより中間転写ベルト１０ｅに所定の張力（テンション）がかけられている。中間転写ベルト１０ｅの内周面側で各感光ドラム１に対向して一次転写手段としてローラ状の一次転写部材である各一次転写ローラ６（複数の転写手段）がそれぞれ配置されている。
【００１９】
各一次転写ローラ６は、中間転写ベルト１０ｅを介在して各感光ドラム１に向けて所定の圧力で付勢（押圧）されている。これにより中間転写ベルト１０ｅの外周面と各感光ドラム１の表面とが当接する一次転写部Ｎ１をそれぞれ形成する。
【００２０】
また、中間転写ベルト１０ｅの外周面側で駆動ローラ１０ｇに対向して二次転写手段としてローラ状の二次転写部材である二次転写ローラ１３が配置されている。二次転写ローラ１３は、中間転写ベルト１０ｅを介在して駆動ローラ１０ｇに向けて所定の圧力で付勢（押圧）されている。これにより中間転写ベルト１０ｅの外周面と二次転写ローラ１３の表面とが当接する二次転写部Ｎ２を形成する。
【００２１】
また、中間転写ベルト１０ｅの外周面側において、テンションローラ１０ｈと対向する位置には、クリーニング手段としてのクリーニング装置１１が配置されている。その他、画像形成装置１００には、記録材Ｐを二次転写部Ｎ２に搬送する搬送装置２０が設けられる。更に、該二次転写部Ｎ２において中間転写ベルト１０ｅの外周面上のトナー像が二次転写された記録材Ｐを加熱及び加圧してトナー像を熱溶融させて記録材Ｐに熱定着させる定着手段となる定着装置１５等が設けられている。
【００２２】
＜画像形成動作＞
画像形成装置１００の画像形成時には、図１の時計周り方向に回転する各感光ドラム１の表面は、各帯電ローラ２により一様に帯電処理される。一様に帯電した各感光ドラム１の表面は、レーザスキャナ９により画像情報に応じたレーザ光が走査露光される。これにより各感光ドラム１の表面上に静電潜像が形成される。感光ドラム１の表面上に形成された静電潜像は、現像装置４から供給される現像剤としてのトナーを用いてトナー像として現像される。
【００２３】
本実施形態では、各帯電ローラ２により各感光ドラム１の表面が一様に帯電処理される。その後、レーザスキャナ９により露光されて電位の絶対値が低下した感光ドラム１の表面上の露光部（明部）に該感光ドラム１の帯電極性（本実施形態では負極性）と同極性に帯電したトナーを付着させる反転現像によりトナー像が形成される。
【００２４】
各一次転写部Ｎ１において、図示しない一次転写バイアス電源から各一次転写ローラ６に一次転写バイアスが印加される。これにより各感光ドラム１の表面上に形成されたトナー像は図１の反時計周り方向に回転する中間転写ベルト１０ｅの外周面上に一次転写される。
【００２５】
このとき、各一次転写ローラ６には、図示しない一次転写バイアス電源から現像時のトナーの帯電極性とは逆極性（本実施形態では正極性）の直流電圧からなる一次転写バイアス電圧が印加される。例えば、フルカラー画像の形成時には、各感光ドラム１の表面に形成されたトナー像が中間転写ベルト１０ｅの外周面上に順次に重ね合わせるようにして一次転写される。
【００２６】
二次転写部Ｎ２において、図示しない二次転写バイアス電源から二次転写ローラ１３に二次転写バイアスが印加される。これにより中間転写ベルト１０ｅの外周面上に形成されたトナー像は、中間転写ベルト１０ｅの外周面と二次転写ローラ１３の表面とにより挟持搬送される記録材Ｐ上に二次転写される。
【００２７】
このとき、二次転写ローラ１３には、図示しない二次転写バイアス電源から現像時のトナーの帯電極性とは逆極性（本実施形態では正極性）の直流電圧である二次転写バイアス電圧が印加される。例えば、フルカラーの画像形成時には、中間転写ベルト１０ｅの外周面上に四色のトナーが重なった状態で多重トナー像が形成される。中間転写ベルト１０ｅの外周面上に一次転写された多重トナー像は、該中間転写ベルト１０ｅにより搬送されて二次転写部Ｎ２へと移動し、該二次転写部Ｎ２において一括して記録材Ｐ上に二次転写される。
【００２８】
搬送装置２０において、給送カセット２１内に収容された記録材Ｐは、給送ローラ２２により繰り出され、分離ローラ７により一枚ずつ分離されて給送される。その後、記録材Ｐの先端部が一旦停止したレジストローラ１４のニップ部に突き当たって記録材Ｐの斜行が補正される。その後、中間転写ベルト１０ｅの外周面上のトナー像の移動とタイミングを合わせてレジストローラ１４により挟持されて記録材Ｐが二次転写部Ｎ２に搬送される。
【００２９】
二次転写部Ｎ２において、中間転写ベルト１０ｅの外周面上のトナー像が転写された記録材Ｐは、中間転写ベルト１０ｅの外周面と、二次転写ローラ１３とにより挟持されて定着装置１５に搬送される。定着装置１５に設けられた定着ローラ１７と加圧ローラ１６との間の定着ニップ部をトナー像が転写された記録材Ｐが通過する過程において加熱及び加圧される。これにより記録材Ｐの表面の未定着のトナー像は熱溶融して記録材Ｐの表面に熱定着される。その後、記録材Ｐは、排出ローラ１２により挟持搬送されて画像形成装置１００の外部に設けられた排出トレイ１８上に排出される。
【００３０】
一次転写後に各感光ドラム１の表面上に残留した一次転写残トナーは、各クリーニング装置５により各感光ドラム１の表面上から掻き取られて除去される。各クリーニング装置５は、クリーニング部材としてのクリーニングブレード８を有する。このクリーニングブレード８により図１の時計回り方向に回転する感光ドラム１の表面から一次転写残トナーを掻き取って除去する。除去された一次転写残トナーは、各クリーニング装置５に設けられた回収トナー容器内に回収される。
【００３１】
二次転写後に中間転写ベルト１０ｅの外周面上に残留した二次転写残トナーは、クリーニング装置１１により中間転写ベルト１０ｅの外周面上から掻き取られて除去される。クリーニング装置１１は、クリーニング部材としてのクリーニングブレードにより図１の反時計回り方向に回転する中間転写ベルト１０ｅの外表面から二次転写残トナーを掻き取って除去する。除去された二次転写残トナーは、図示しない回収トナー搬送路を通過して図示しない回収トナー容器内に回収される。
【００３２】
尚、記録材Ｐの両面に印刷する場合には、一面目の画像形成が完了した記録材Ｐの後端部が排出ローラ１２に挟持された状態で該排出ローラ１２が逆回転し、フラッパ１９が回動して記録材Ｐは反転路２３に導かれる。そして、該反転路２３に沿って搬送ローラ２４，３１により挟持搬送されて表裏が反転する。
【００３３】
そして、記録材Ｐの先端部が一旦停止したレジストローラ１４のニップ部に突き当たって記録材Ｐの斜行が補正される。その後、二面目の中間転写ベルト１０ｅの外周面上のトナー像の移動とタイミングを合わせてレジストローラ１４により挟持されて記録材Ｐが二次転写部Ｎ２に搬送される。そして、前述と同様にして二面目に画像が形成される。その後、記録材Ｐは、排出ローラ１２により挟持搬送されて画像形成装置１００の外部に設けられた排出トレイ１８上に排出される。
【００３４】
＜中間転写ユニット＞
次に、図２〜図４を用いて中間転写ユニット１０の構成について説明する。図２は、中間転写ユニット１０の構成を示す斜視説明図である。図３は、中間転写ユニット１０の構成を示す断面説明図である。図４は、中間転写ユニット１０の構成を示す平面説明図である。
【００３５】
尚、画像形成装置１００及びその要素について、図１の紙面手前側を「正面側」とし、図１の紙面奥側を「背面側」とする。この正面側と背面側とを結ぶ奥行方向は、感光ドラム１、中間転写ベルト１０ｅを張架する駆動ローラ１０ｇ、従動ローラ１０ｆ及びテンションローラ１０ｈの各回転軸線方向と略平行である。
【００３６】
また、中間転写ユニット１０及びその要素について、中間転写ベルト１０ｅの幅方向（搬送方向と略直交する方向）に対応する方向を「スラスト方向」ともいう。本実施形態の中間転写ユニット１０は、画像形成装置１００本体に対して着脱可能に構成されている。
【００３７】
図２に示す中間転写ユニット１０は、中間転写ベルト１０ｅを有する。尚、図２では、説明の都合上、中間転写ベルト１０ｅの正面側の一部を切り欠いて中間転写ユニット１０の内部構造を見せている。また、中間転写ユニット１０は、中間転写ベルト１０ｅが巻き掛けられる複数のローラとして、駆動ローラ１０ｇ、従動ローラ１０ｆ及びテンションローラ１０ｈを有する。これら駆動ローラ１０ｇ、従動ローラ１０ｆ及びテンションローラ１０ｈは、フレーム４３に回転可能に支持される。
【００３８】
駆動ローラ１０ｇは、その長手方向（回転軸線方向）の両端部側において、軸受部材４１により回転可能に支持される。尚、図２では、正面側の軸受部材４１のみが示されている。軸受部材４１は、フレーム４３に取り付けられる。そして、駆動ローラ１０ｇは、図２に示す制御手段となる制御部３３により駆動制御される駆動源となるモータ３４から図示しない駆動伝達手段を介して回転駆動力が伝達されて回転する。駆動ローラ１０ｇが図１の反時計周り方向に回転駆動されることで、中間転写ベルト１０ｅが図１の反時計周り方向に搬送される。駆動ローラ１０ｇの表面は、中間転写ベルト１０ｅを滑り無く搬送するために摩擦係数の高いゴム層等を有して形成されている。
【００３９】
従動ローラ１０ｆは、その長手方向（回転軸線方向）の両端部側において、軸受部材４０により回転可能に支持される。尚、図２では、正面側の軸受部材４０のみが示されている。軸受部材４０は、フレーム４３に取り付けられる。そして、従動ローラ１０ｆは、中間転写ベルト１０ｅに従動して回転する。
【００４０】
テンションローラ１０ｈは、その長手方向（回転軸線方向）の両端部側において、軸受部材４２により回転可能に支持される。尚、図２では、正面側の軸受部材４２のみが示されている。軸受部材４２は、中間転写ベルト１０ｅの張架方向に移動可能（スライド可能）なようにフレーム４３に取り付けられる。
【００４１】
テンションローラ１０ｈの長手方向の両端部側の軸受部材４２は、それぞれ付勢手段としての圧縮バネで構成された図示しないテンションバネの圧縮力により中間転写ベルト１０ｅに張力を付与する方向に付勢される。軸受部材４２は、図示しないテンションバネによる付勢方向に沿って中間転写ベルト１０ｅの内周面側から外周面側に移動する。これによりテンションローラ１０ｈは、中間転写ベルト１０ｅの内周面側から外周面側に向けて中間転写ベルト１０ｅを付勢して、該中間転写ベルト１０ｅに張力を付与する。テンションローラ１０ｈに対向する位置には、クリーニング装置１１が設けられている。
【００４２】
図３及び図４に示すように、イエローＹ及びマゼンタＭ色の一次転写ローラ６ａ，６ｂは、フレーム４３に設けられた回動軸２５ａ１，２５ｂ１を中心に回動可能に支持された一次転写ホルダ２５ａ，２５ｂに回転可能に軸支されている。一方、シアンＣ及びブラックＢ色の一次転写ローラ６ｃ，６ｄは、フレーム４３に図３の上下方向に移動可能に支持された一次転写ホルダ２５ｃ，２５ｄに回転可能に軸支されている。一次転写ホルダ２５ａ〜２５ｄは、各一次転写ローラ６（転写手段）を支持する複数の支持部材として構成される。
【００４３】
各一次転写ホルダ２５とフレーム４３との間には、各一次転写ローラ６（転写手段）を中間転写ベルト１０ｅを介在して各感光ドラム１（像担持体）の表面に対して付勢する複数の付勢手段となる各加圧バネ２８が設けられている。各加圧バネ２８（付勢手段）の付勢力により各一次転写ローラ６を各感光ドラム１の表面に向かって加圧する。
【００４４】
図２に示すように、中間転写ユニット１０の背面側には、離間カップリング５０が設けられている。この離間カップリング５０を回転させることで中間転写ベルト１０ｅを介在した状態で各一次転写ローラ６の各感光ドラム１の表面に対する接離動作を行う。
【００４５】
＜比較例＞
次に、図７を用いて比較例のカム２７ａ，２７ｂを用いた一次転写ローラ６の離間動作について説明する。図７（ａ）は、比較例において全色の一次転写ローラ６が中間転写ベルト１０ｅを介在して各感光ドラム１の表面に当接された状態におけるカム２７ａ，２７ｂの位相を示す断面説明図である。図７（ｂ）は、比較例においてブラックＢ色の一次転写ローラ６ｄのみが中間転写ベルト１０ｅを介在して感光ドラム１ｄの表面に当接された状態におけるカム２７ａ，２７ｂの位相を示す断面説明図である。図７（ｃ）は、比較例において全色の一次転写ローラ６が各感光ドラム１の表面から退避した状態におけるカム２７ａ，２７ｂの位相を示す断面説明図である。
【００４６】
図３に示す各一次転写ローラ６は、ブラックＫ色の単色で画像形成する際にブラックＫ色の一次転写ローラ６ｄを中間転写ベルト１０ｅを介在して感光ドラム１ｄの表面に当接する。そして、他色のカラーＣＬ（イエローＹ、マゼンタＭ、シアンＣ）色の一次転写ローラ６ａ〜６ｃを各感光ドラム１ａ〜１ｃの表面に対して離間させる。また、中間転写ユニット１０を画像形成装置１００本体に対して着脱する際に全ての一次転写ローラ６を各感光ドラム１の表面に対して離間させることが出来るように構成されている。これは各一次転写ローラ６の寿命向上や中間転写ユニット１０を画像形成装置１００本体に対して着脱する際に中間転写ベルト１０ｅの外周面に傷が付くことを防止するためである。
【００４７】
図２に示す制御手段となる制御部３３により駆動制御される駆動源となるモータ３４から図示しない駆動伝達手段を介して離間カップリング５０に回転駆動力が伝達される。離間カップリング５０は、フレーム４３に回転可能に支持された図２〜図７に示す回転軸２６に接続されている。図４に示すように、回転軸２６は、各一次転写ローラ６と平行に配置されている。回転軸２６の長手方向の両端部には、図７（ａ）〜（ｃ）に示すように、二段の位相の異なる形状のカム２７ａ，２７ｂからなるカム部２７が設けられている。
【００４８】
モータ３４により離間カップリング５０、回転軸２６を介してカム２７ａ，２７ｂが該回転軸２６と一体的に回転する。すると、コ字形状のブラックＫ色のスライダ２９の図７（ａ）〜（ｃ）の左側の内壁面からなる当接面２９ｂに該カム２７ａの外周面からなるカム面が当接摺動する。スライダ２９は、付勢手段となる加圧バネ６０ａにより常時、図７（ａ）〜（ｃ）の右方向に付勢されている。カム２７ａは、加圧バネ６０ａの付勢力に抗して該スライダ２９を図７（ａ）〜（ｃ）の左方向にスライド移動する。
【００４９】
一方、コ字形状の他色のカラーＣＬ（イエローＹ、マゼンタＭ、シアンＣ）色のスライダ３０の図７（ａ）〜（ｃ）の右側の内壁面からなる当接面３０ｂに該カム２７ｂの外周面からなるカム面が当接摺動する。スライダ３０は、付勢手段となる加圧バネ６０ｂにより常時、図７（ａ）〜（ｃ）の左方向に付勢されている。カム２７ｂは、加圧バネ６０ｂの付勢力に抗して該スライダ３０を図７（ａ）〜（ｃ）の右方向にスライド移動する。
【００５０】
スライダ２９，３０は、複数の各一次転写ローラ６（転写手段）の配列方向（図７（ａ）〜（ｃ）の左右方向）に沿って設けられる。スライダ２９，３０は、図３及び図７（ａ）〜（ｃ）に示す一次転写ホルダ２５ａ〜２５ｄ（支持部材）を移動する複数の接離部材として構成される。
【００５１】
図７（ａ）〜（ｃ）に示すように、各一次転写ホルダ２５ａ〜２５ｄには、それぞれ段差が設けられた水平面と、これらを結ぶ傾斜面とからなるカム面を有するガイド部２５ｅ〜２５ｈが形成されている。尚、図７（ａ）〜（ｃ）では、説明の都合上、一次転写ホルダ２５ｃ，２５ｄに設けられたガイド部２５ｇ，２５ｈと、スライダ２９，３０に設けられたボス部２９ａ，３０ａのみを示している。他の一次転写ホルダ２５ａ，２５ｂにも一次転写ホルダ２５ｃに設けられたガイド部２５ｇと同様なガイド部２５ｅ，２５ｆが形成される。スライダ３０には、各ガイド部２５ｅ，２５ｆに摺動して係合するボス部３０ａが突設されている。
【００５２】
このガイド部２５ｅ〜２５ｇをそれぞれ図７（ａ）〜（ｃ）に示す他色のカラーＣＬ色のスライダ３０に設けられたボス部３０ａの外周面に当接する状態で組み込む。更に、ガイド部２５ｈをブラックＫ色のスライダ２９に設けられたボス部２９ａの外周面に当接する状態で組み込む。
【００５３】
そして、モータ３４により離間カップリング５０、回転軸２６を介してカム２７ａ，２７ｂを同方向に回転させてブラックＫ色のスライダ２９と、他色のカラーＣＬ色のスライダ３０とを図７（ａ）〜（ｃ）の左右方向に移動させる。これにより各スライダ２９，３０とそれぞれ一体的に移動するボス部２９ａ，３０ａがそれぞれガイド部２５ｈ，２５ｅ〜２５ｇのカム面に沿って摺動する。これにより各一次転写ローラ６は、中間転写ベルト１０ｅを介在して感光ドラム１の表面に対して接離する。
【００５４】
＜接離モード＞
各一次転写ローラ６の感光ドラム１の表面に対する接離動作は、カム２７ａ，２７ｂの停止位置により三つのモードを有する。図７（ａ）〜（ｃ）は、カム２７ａ，２７ｂを回転軸２６を中心に１２０°づつ同方向に回転させたときの各一次転写ローラ６の感光ドラム１の表面に対する接離動作の三つのモード状態を示す。
【００５５】
図７（ａ）は、全ての一次転写ローラ６が各感光ドラム１の表面に対して中間転写ベルト１０ｅを介在して加圧されたモード状態（カラーモード）を示す。図７（ｂ）は、ブラックＫ色の一次転写ローラ６ｄのみが感光ドラム１ｄの表面に対して中間転写ベルト１０ｅを介在して加圧されている。そして、他色のカラーＣＬ（イエローＹ、マゼンタＭ、シアンＣ）色の一次転写ローラ６ａ〜６ｃが感光ドラム１の表面から離間して退避したモード状態（ブラックモード）を示す。図７（ｃ）は、全ての一次転写ローラ６が感光ドラム１の表面から離間して退避したモード状態（全離間モード）を示す。
【００５６】
図７（ａ）〜（ｃ）に、各モード状態でのカム２７ａ，２７ｂの回転位置と、ブラックＫ色のスライダ２９のスライド位置と、他色のカラーＣＬ色のスライダ３０のスライド位置との関係を示す。図７（ａ）は、カム２７ａの回転位相によりブラックＫ色のスライダ２９が図７（ａ）の左側に移動した状態を示す。そして、カム２７ｂの回転位相により他色のカラーＣＬ色のスライダ３０が図７（ａ）の右側に移動した状態を示す。
【００５７】
図７（ｂ）は、カム２７ａの回転位相によりブラックＫ色のスライダ２９が図７（ｂ）の左側に移動した状態を示す。そして、カム２７ｂの回転位相により他色のカラーＣＬ色のスライダ３０が図７（ｂ）の左側に移動した状態を示す。図７（ｃ）は、カム２７ａの回転位相によりブラックＫ色のスライダ２９が図７（ｃ）の右側に移動した状態を示す。そして、カム２７ｂの回転位相により他色のカラーＣＬ色のスライダ３０が図７（ｃ）の左側に移動した状態を示す。
【００５８】
カム２７ａ，２７ｂの回転位相による各スライダ２９，３０の移動方向を考慮する。更に、該スライダ２９，３０にそれぞれ突設されたボス部２９ａ，３０ａの位置を考慮する。更に、各一次転写ホルダ２５ａ〜２５ｄに設けられた各ガイド部２５ｅ〜２５ｈとの位置関係を適宜組み合わせる。これにより各一次転写ローラ６の感光ドラム１の表面に対する接離動作を行っている。
【００５９】
図７に示す比較例の構成では、カム２７ａ，２７ｂの回転位相の管理を１２０°毎に回転させて行う。そのため１２０°の角度範囲でスライダ２９，３０を確実に移動させるためにはカム２７ａ，２７ｂの回転位相の角度誤差を１５°以下で位相管理を行う必要がある。カム２７ａ，２７ｂの外周面のカム形状により多少の差は生じるが、比較的正確な回転位相管理が必要となってくる。このため高価ではあるもののカム２７ａ，２７ｂの回転位相の管理が容易に出来るステッピングモータやエンコーダ等を用いた回転制御を行う必要がある。その結果として、コストが増大し、省スペース化が困難になる。
【００６０】
＜本実施形態＞
次に、図５及び図６を用いて本実施形態のカム５１ａ，５１ｂを用いた一次転写ローラ６の離間動作について説明する。図５（ａ）は、本実施形態において全色の一次転写ローラ６が中間転写ベルト１０ｅを介在して各感光ドラム１の表面に当接された状態におけるカム５１ａ，５１ｂの位相を示す斜視説明図である。図５（ｂ）は、本実施形態においてブラックＢ色の一次転写ローラ６ｄのみが中間転写ベルト１０ｅを介在して感光ドラム１ｄの表面に当接された状態におけるカム５１ａ，５１ｂの位相を示す斜視説明図である。図５（ｃ）は、本実施形態において全色の一次転写ローラ６が各感光ドラム１の表面から退避した状態におけるカム５１ａ，５１ｂの位相を示す斜視説明図である。
【００６１】
図５（ａ）は、本実施形態において全色の一次転写ローラ６が中間転写ベルト１０ｅを介在して各感光ドラム１の表面に当接された状態におけるカム５１ａ，５１ｂの位相を示す断面説明図である。図５（ｂ）は、本実施形態においてブラックＢ色の一次転写ローラ６ｄのみが中間転写ベルト１０ｅを介在して感光ドラム１ｄの表面に当接された状態におけるカム５１ａ，５１ｂの位相を示す断面説明図である。
【００６２】
図５（ｃ）は、本実施形態において全色の一次転写ローラ６が各感光ドラム１の表面から退避した状態におけるカム５１ａ，５１ｂの位相を示す断面説明図である。図６（ａ）は、本実施形態のカム５１ａ，５１ｂの構成を示す斜視説明図である。図６（ｂ），（ｃ）は、本実施形態のカム５１ａ，５１ｂの構成を示す断面説明図である。
【００６３】
図５（ａ）〜（ｃ）に示す各一次転写ローラ６は、ブラックＫ色の単色で画像形成する際は、ブラックＫ色の一次転写ローラ６ｄを中間転写ベルト１０ｅを介在させて感光ドラム１ｄの表面に当接する。更に、他色のカラーＣＬ（イエローＹ、マゼンタＭ、シアンＣ）色の一次転写ローラ６ａ〜６ｃを感光ドラム１ａ〜１ｃの表面から退避する。
【００６４】
そして、中間転写ユニット１０を画像形成装置１００本体に対して着脱する際には、全色の一次転写ローラ６を感光ドラム１の表面から退避する。そして、中間転写ユニット１０を画像形成装置１００本体に対して着脱するように構成される。これは各一次転写ローラ６の寿命向上や中間転写ユニット１０を画像形成装置１００本体に対して着脱する際に中間転写ベルト１０ｅの外周面に接触して傷が付くのを防止するためである。
【００６５】
図２に示す制御部３３により駆動制御される駆動源となるモータ３４から図示しない駆動伝達手段を介して離間カップリング５０に回転駆動力が伝達される。離間カップリング５０は、図５（ａ）〜（ｃ）に示す回転軸２６に接続され、該回転軸２６は、離間カップリング５０と一体的に回転する。回転軸２６は、各一次転写ローラ６と平行に配置され、図２及び図３に示すフレーム４３に回転可能に支持されている。
【００６６】
＜カム部＞
回転軸２６の軸方向両端部には、二枚のカム５１ａ，５１ｂからなるカム部５１が設けられている。カム５１ａの外周面からなるカム面は、ブラックＫ色のコ字形状のスライダ２９の左側の内壁面からなる当接面２９ｂが摺動可能に配置されている。スライダ２９は、付勢手段となる加圧バネ６０ａにより常時、図５（ａ）〜（ｃ）の右側に向かって付勢されている。
【００６７】
カム５１ｂの外周面からなるカム面は、他色のカラーＣＬ（イエローＹ、マゼンタＭ、シアンＣ）色のコ字形状のスライダ３０の右側の内壁面からなる当接面３０ｂが摺動可能に配置されている。スライダ３０は、付勢手段となる加圧バネ６０ｂにより常時、図５（ａ）〜（ｃ）の左側に向かって付勢されている。
【００６８】
図２に示す制御部３３により駆動制御される駆動源となるモータ３４により回転軸２６の回転方向が正回転と逆回転とに適宜制御される。回転軸２６を中心にカム５１ａ，５１ｂが回転することで、ブラックＫ色のスライダ２９と、他色のカラーＣＬ色のスライダ３０とがそれぞれ図５（ａ）〜（ｃ）の左右方向へ移動する。
【００６９】
カム５１ｂ（第一のカム）は、複数の接離部材となるスライダ２９，３０のうちの一部となる他色のカラーＣＬ（イエローＹ、マゼンタＭ、シアンＣ）色のスライダ３０を図５（ａ）〜（ｃ）の左右方向に動作させる。カム５１ａ（第二のカム）は、カム５１ｂ（第一のカム）と同軸上に設けられ、複数の接離部材となるスライダ２９，３０のうちの他部となるブラックＫ色のスライダ２９を図５（ａ）〜（ｃ）の左右方向に動作させる。
【００７０】
図６（ａ）〜（ｃ）に示すように、本実施形態のカム部５１は、二枚のカム５１ａ，５１ｂを有して構成されている。ブラックＫ色のスライダ２９の当接面２９ｂに当接摺動して該スライダ２９をスライド移動させるカム５１ａは、該カム５１ａ（第二のカム）に設けられた貫通穴５１ａ３内に回転軸２６が摺動可能に挿入され、該回転軸２６に対して回転自在に支持されている。一方、他色のカラーＣＬ色のスライダ３０の当接面３０ｂに当接摺動して該スライダ３０をスライド移動させるカム５１ｂ（第一のカム）は、回転軸２６に固定されており、該回転軸２６と一体的に回転する。
【００７１】
図６（ｃ）に示すように、他色のカラーＣＬ色のスライダ３０をスライド移動させる回転軸２６に固定されたカム５１ｂ（第一のカム）の該回転軸２６の外周近傍には、係合部５１ｂ１（第一の係合部）が設けられている。係合部５１ｂ１は、カム５１ｂの長径に平行に配置された断面Ｉ形状で構成される。
【００７２】
一方、図６（ｂ）に示すように、ブラックＫ色のスライダ２９をスライド移動させるカム５１ａ（第二のカム）に設けられた貫通穴５１ａ３の周縁近傍には、係合部５１ａ１，５１ａ２（第二、第三の係合部）が設けられている。貫通穴５１ａ３は、回転軸２６に対して回転可能に嵌合する。係合部５１ａ１，５１ａ２は、貫通穴５１ａ３の周方向に１８０度ずれた位置に設けられ、該カム５１ａの長径に平行に配置された断面Ｌ字形状で構成される。
【００７３】
カム５１ａ（第二のカム）に設けられた各係合部５１ａ１，５１ａ２（第二、第三の係合部）の図６（ｂ）の左側に配置されたそれぞれの当接面５１ａ１ａ，５１ａ２ａは、以下の通り配置されている。回転軸２６を中心とするカム５１ａの回転方向に１８０°ずれた位置（同一平面上）に配置されている。
【００７４】
そして、カム５１ａ（第二のカム）に設けられた貫通穴５１ａ３の周方向で各係合部５１ａ１，５１ａ２（第二、第三の係合部）の各当接面５１ａ１ａ，５１ａ２ａの間にカム５１ｂの係合部５１ｂ１（第一の係合部）が配置される。その状態で該当接面５１ａ１ａ，５１ａ２ａの間を移動可能となるように回転軸２６が該カム５１ａ（第二のカム）に設けられた貫通穴５１ａ３内（貫通穴内）に摺動可能に挿入される。
【００７５】
そして、制御部３３により駆動制御されるモータ３４により回転軸２６の回転方向が正回転、或いは、逆回転される。これにより該回転軸２６の回転によりカム５１ｂ（第一のカム）の係合部５１ｂ１（第一の係合部）がカム５１ａ（第二のカム）に設けられた係合部５１ａ１（第二の係合部）の当接面５１ａ１ａに当接して係合する。或いは、係合部５１ａ２（第三の係合部）の当接面５１ａ２ａに当接して係合する。これによりカム５１ｂ（第一のカム）とカム５１ａ（第二のカム）とが一体的に回転する。
【００７６】
これによりカム５１ａとカム５１ｂとは、回転軸２６を中心とする回転方向において１８０°のガタがある状態で互いに係合する。回転軸２６が回転すると、該回転軸２６に固定されたカム５１ｂが該回転軸２６と一体的に回転する。そして、該カム５１ｂに設けられた係合部５１ｂ１がカム５１ａに設けられた各係合部５１ａ１，５１ａ２の各当接面５１ａ１ａ，５１ａ２ａに当接する。これによりカム５１ａが回転軸２６に固定されたカム５１ｂと連動して一体的に回転する。
【００７７】
その際、カム５１ａに設けられた各係合部５１ａ１，５１ａ２の各当接面５１ａ１ａ，５１ａ２ａと、カム５１ｂの係合部５１ｂ１とは、回転軸２６の回転方向において１８０°のガタを有している。これにより図５（ｂ）に示すように、カム５１ｂの係合部５１ｂ１がカム５１ａの係合部５１ａ２の当接面５１ａ２ａに当接する。その状態で回転軸２６が図５（ｂ）の反時計回り方向に回転する。その場合には、カム５１ａ，５１ｂは、完全に重なった同一の位相で回転する。
【００７８】
一方、図５（ａ）に示すように、カム５１ｂの係合部５１ｂ１がカム５１ａの係合部５１ａ１の当接面５１ａ１ａに当接する。その状態で回転軸２６が図５（ａ）の時計回り方向に回転する。その場合には、カム５１ａ，５１ｂは、互いに反対側に向いた逆の位相で回転する。
【００７９】
また、図５（ｃ）に示すように、カム５１ｂの係合部５１ｂ１がカム５１ａの係合部５１ａ１の当接面５１ａ１ａに当接する。その状態で回転軸２６が図５（ｃ）の時計回り方向に回転する。その場合には、カム５１ａ，５１ｂは、互いに反対側に向いた逆の位相で回転する。
【００８０】
即ち、カム５１ｂ（第一のカム）とカム５１ａ（第二のカム）とは、回転軸２６上（同軸上）で所定の回転角度範囲（本実施形態では１８０度）で独立して回転可能に構成される。そして、カム５１ｂ（第一のカム）の回転方向に応じて該カム５１ｂ（第一のカム）とカム５１ａ（第二のカム）との相対的な位相が１８０度異なるように該カム５１ｂ（第一のカム）とカム５１ａ（第二のカム）とが回転方向で係合する。
【００８１】
図５（ａ）〜（ｃ）に示すように、各一次転写ホルダ２５ａ〜２５ｄには、それぞれ段差が設けられた水平面が設けられている。更に、これらを結ぶ傾斜面とからなるカム面を有するガイド部２５ｅ〜２５ｈが形成されている。尚、図５（ａ）〜（ｃ）では、説明の都合上、一次転写ホルダ２５ｃ，２５ｄに設けられたガイド部２５ｇ，２５ｈと、スライダ２９，３０に突設されたボス部２９ａ，３０ａのみを示している。
【００８２】
他の一次転写ホルダ２５ａ，２５ｂにも一次転写ホルダ２５ｃに設けられたガイド部２５ｇと同様なガイド部２５ｅ，２５ｆが形成される。スライダ３０には、各ガイド部２５ｅ，２５ｆに摺動可能なボス部３０ａが突設されている。このガイド部２５ｅ〜２５ｈを図５（ａ）〜（ｃ）に示すブラックＫ色のスライダ２９と、他色のカラーＣＬ色のスライダ３０とにそれぞれ突設されたボス部２９ａ，３０ａに接触する状態で組み込む。
【００８３】
図２に示す制御部３３により駆動制御されるモータ３４により回転軸２６を正回転、或いは、逆回転させる。そして、カム５１ａ，５１ｂによりブラックＫ色のスライダ２９と、他色のカラーＣＬ色のスライダ３０とを図５（ａ）〜（ｃ）の左右方向に移動させる。これにより各スライダ２９，３０に突設されたボス部２９ａ，３０ａの外周面が各一次転写ホルダ２５ａ〜２５ｄに形成されたガイド部２５ｅ〜２５ｈに摺動することで各一次転写ローラ６は、感光ドラム１の表面に対して接離する。
【００８４】
各一次転写ローラ６の各感光ドラム１の表面に対する接離動作は、図５（ａ）〜（ｃ）に示すカム５１ａ，５１ｂの回転停止位置により三つのモードを有する。図５（ａ）は、全ての一次転写ローラ６が各感光ドラム１の表面に対して中間転写ベルト１０ｅを介在して加圧されたモード状態（カラーモード）を示す。
【００８５】
図５（ｂ）は、ブラックＫ色の一次転写ローラ６ｄのみが感光ドラム１ｄの表面に対して中間転写ベルト１０ｅを介在して加圧される。他色のカラーＣＬ（イエローＹ、マゼンタＭ、シアンＣ）色の一次転写ローラ６ａ〜６ｃは各感光ドラム１ａ〜１ｃの表面から離間して退避したモード状態（ブラックモード）を示す。図５（ｃ）は、全ての一次転写ローラ６が各感光ドラム１の表面から離間して退避したモード状態（全離間モード）を示す。
【００８６】
図５（ａ）〜（ｃ）に、各モード状態でのカム５１ａ，５１ｂの回転位置と、ブラックＫ色のスライダ２９のスライド位置と、他色のカラーＣＬ色のスライダ３０のスライド位置との関係を示す。図５（ａ）は、カム５１ａの回転位相によりブラックＫ色のスライダ２９が図５（ａ）の左側に移動した状態を示す。そして、カム５１ｂの回転位相により他色のカラーＣＬ色のスライダ３０が図５（ａ）の右側に移動した状態を示す。
【００８７】
図５（ｂ）は、カム５１ａの回転位相によりブラックＫ色のスライダ２９が図５（ｂ）の左側に移動した状態を示す。そして、カム５１ｂの回転位相により他色のカラーＣＬ色のスライダ３０が図５（ｂ）の左側に移動した状態を示す。
【００８８】
図５（ｃ）は、カム５１ａの回転位相によりブラックＫ色のスライダ２９が図５（ｃ）の右側に移動した状態を示す。そして、カム５１ｂの回転位相により他色のカラーＣＬ色のスライダ３０が図５（ｃ）の左側に移動した状態を示す。
【００８９】
カム５１ａ，５１ｂの回転位相による各スライダ２９，３０の移動方向を考慮する。更に、該スライダ２９，３０にそれぞれ突設されたボス部２９ａ，３０ａの位置を考慮する。更に、各一次転写ホルダ２５ａ〜２５ｄに設けられた各ガイド部２５ｅ〜２５ｈとの位置関係を適宜組み合わせる。これにより各一次転写ローラ６の感光ドラム１の表面に対する接離動作を行っている。
【００９０】
図５（ａ）〜（ｃ）は、各モードでのカム５１ａ，５１ｂの回転位相と、ブラックＫ色のスライダ２９の位置と、他色のカラーＣＬ色のスライダ３０の位置との関係を示す。図５（ａ）〜（ｃ）に示すように、回転軸２６の回転方向を切り替えることで、カム５１ａ，５１ｂは、１８０°毎の回転位相を管理するだけで図５（ａ）〜（ｃ）に示す三つのモード状態を得ることが出来る。
【００９１】
即ち、制御部３３により駆動制御されるモータ３４を正回転、或いは、逆回転させる。そして、回転軸２６と一体的に回転するカム５１ｂ（第一のカム）の回転方向を制御する。これによりカム５１ａ，５１ｂを介して複数の接離部材となる各スライダ２９，３０の図５（ａ）〜（ｃ）の左右方向の位置を制御することができる。
【００９２】
本実施形態では、カム５１ａ，５１ｂの回転位相の管理を１８０°毎に回転させて行えば良く、許容される回転誤差も図５（ｃ）に示すように、４５°以下であれば良い。これは、図７（ａ），（ｃ）に示す比較例でカム２７ａ，２７ｂの許容される回転誤差が４５°以下の精度が必要であった場合と比較するとカム５１ａ，５１ｂの回転位相の管理が大幅に緩和されている。
【００９３】
カム５１ａ，５１ｂの外周面のカム形状によって多少の差は生じるが、本実施形態では、比較的ラフな位相管理で各一次転写ローラ６の各感光ドラム１の表面に対する接離動作が可能である。これによりカム５１ａ，５１ｂを回転駆動するモータ３４としては、例えば、精度良い位相管理が難しいとされるブラシモータとスイッチ、フォトインタラプタ等を用いた回転制御構成とすることが出来る。その結果、コストを削減し、省スペース化ができる。
【００９４】
本実施形態では、各一次転写ローラ６を各感光ドラム１の表面に対して接離する。そのような構成として、カム５１ａ，５１ｂを回転させてスライダ２９，３０をスライド移動する。そして、該スライダ２９，３０に設けられたボス部２９ａ，３０ａが各一次転写ローラ６を支持する各一次転写ホルダ２５ａ〜２５ｄに設けられたそれぞれのガイド部２５ｅ〜２５ｈに当接摺動する。そして、該一次転写ホルダ２５ａ〜２５ｄを移動させて各一次転写ローラ６を各感光ドラム１の表面に対して接離する。
【００９５】
このような構成において、回転軸２６の回転方向を切り替える。これにより回転軸２６の同軸上に設けられた二つのカム５１ａ，５１ｂの互いの相対的な位相が異なるように図５（ａ）〜（ｃ）に示すカム５１ｂの係合部５１ｂ１と、カム５１ａの係合部５１ａ１，５１ａ２とが回転方向で適宜係合する。
【００９６】
即ち、図５（ｂ）に示すブラックモード時の同位相と、図５（ａ）に示すカラーモード時の逆位相、或いは、図５（ｃ）に示す全離間モード時の逆位相とに異なるように回転方向で係合する。これにより回転軸２６の同軸上に設けられた二つのカム５１ａ，５１ｂの互いの相対的な位相を回転軸２６の回転方向を切り替えることで切り替え可能に構成している。
【００９７】
これによりカム５１ａ，５１ｂの回転位相の管理の許容角度を拡げながら、各一次転写ローラ６を各感光ドラム１の表面に対して接離する。これにより図５（ａ）〜（ｃ）に示すように、三つのモード状態を有することができる。これにより各一次転写ローラ６を各感光ドラム１の表面に対して接離するスライダ２９，３０を動作させるカム５１ａ，５１ｂの位相管理の精度を緩和することができる。
【符号の説明】
【００９８】
６，６ａ〜６ｄ…一次転写ローラ（転写手段）
２５ａ〜２５ｄ…一次転写ホルダ（支持部材）
２９，３０…スライダ（複数の接離部材）
５１ａ…カム（第二のカム）
５１ｂ…カム（第一のカム）
【図１】
2018022046.tif 000003
【図２】
2018022046.tif 000004
【図３】
2018022046.tif 000005
【図４】
2018022046.tif 000006
【図５】
2018022046.tif 000007
【図６】
2018022046.tif 000008
【図７】
2018022046.tif 000009